(57)【特許請求の範囲】
【請求項１】
コップ状をなす本体容器と、
該本体容器の開口部を覆って本体容器に着脱自在に設けられ、上面側が薬剤を収容可能な凹部に形成された中皿と、
飲み口が形成され、前記中皿を覆って前記本体容器に着脱自在に取り付けられる蓋とを具備し、
前記中皿の凹部は、前記飲み口側が浅く、その反対側が深くなるように形成されていると共に、前記飲み口とは反対側の位置となる前記中皿の凹部の底部に前記本体容器内と前記飲み口側とを連通する通水部が形成されていて、
薬剤を飲む際、前記飲み口が下方側となるように前記本体容器を傾けることで、前記通水部から水が前記中皿の凹部内に流入し、流入した水と前記凹部内に収容された前記薬剤とが混合された状態で前記飲み口に流下可能に形成されていることを特徴とする薬剤服用補助容器。
【請求項２】
前記蓋の飲み口が、前記蓋の本体部に対してヒンジ部を介して回動可能に形成されていることを特徴とする請求項１記載の薬剤服用補助容器。
【請求項３】
前記中皿には、前記本体容器の開口部内に嵌合する嵌合部が形成されていて、
当該嵌合部には、前記飲み口が下方側となるように前記本体容器を傾けた状態にした際に、前記本体容器内の水を前記通水部に誘導するための誘導部が設けられていることを特徴とする請求項１または２記載の薬剤服用補助容器。
【請求項４】
前記本体容器の外表面部分に薬袋を開封するための開封用カッターが取り付けられていることを特徴とする請求項１〜３のうちのいずれか一項に記載の薬剤服用補助容器。
【請求項５】
前記蓋の外表面部分に薬袋を開封するための開封用カッターが取り付けられていることを特徴とする請求項１〜３のうちのいずれか一項に記載の薬剤服用補助容器。
【発明の詳細な説明】
【技術分野】
【０００１】
本発明は容易に薬剤を服用することを可能にするために用いられる薬剤服用補助容器に関する。
【背景技術】
【０００２】
お年寄りや子供は薬剤を服用することが困難な場合が多い。このようなお年寄りや子供であっても容易に薬剤を服用することができるように、水を収容したコップの内側面に薬剤を収容するフィルター壁を設けた錠剤服用コップが提案されている。この薬剤服用コップによれば、コップで水を飲むと同時に錠剤が口の中に入ってくるため、お年寄りや子供であっても容易に錠剤を服用することができる。
【特許文献１】特開２００４−１４８０７８号公報
【発明の開示】
【発明が解決しようとする課題】
【０００３】
しかしながら、お年寄りや子供は、錠剤の服用はもちろんのこと、いわゆる粉薬の服用も困難であることが多い。また、寝たきりの状態の人もたくさん薬を服用しなければならないことが多く、寝たままの状態でも薬を容易に服用することができることが強く望まれているが、特許文献１に記載されている薬剤服用コップを含め、このような要望を満たす提案は見当たらない。
【０００４】
そこで本発明は、老人や子供であっても粉薬を容易に服用することができ、しかも寝たきりの人であっても容易に薬の服用が可能になる薬剤服用補助容器を提案することを目的としている。
【課題を解決するための手段】
【０００５】
上記課題を解決するため、本発明は次の構成を備える。
すなわち本発明は、コップ状をなす本体容器と、該本体容器の開口部を覆って本体容器に着脱自在に設けられ、上面側が薬剤を収容可能な凹部に形成された中皿と、飲み口が形成され、前記中皿を覆って前記本体容器に着脱自在に取り付けられる蓋とを具備し、前記中皿の凹部は、前記飲み口側が浅く、その反対側が深くなるように形成されていると共に、前記飲み口とは反対側の位置となる前記中皿の凹部の底部に前記本体容器内と前記飲み口側とを連通する通水部が形成されていて、薬剤を飲む際、前記飲み口が下方側となるように前記本体容器を傾けることで、前記通水部から水が前記中皿の凹部内に流入し、流入した水と前記凹部内に収容された前記薬剤とが混合された状態で前記飲み口に流下可能に形成されていることを特徴とする薬剤服用補助容器である。
【０００６】
また、前記蓋の飲み口が、前記蓋の本体部に対してヒンジ部を介して回動可能に形成されていることを特徴とする。
【０００７】
また、前記中皿には、前記本体容器の開口部内に嵌合する嵌合部が形成されていて、
当該嵌合部には、前記飲み口が下方側となるように前記本体容器を傾けた状態にした際に、前記本体容器内の水を前記通水部に誘導するための誘導部が設けられていることを特徴とする。これにより、薬剤を服用する状態において、本体容器内の水が通水部に誘導されることになるため、薬剤を服用する際の姿勢が楽になり、使い勝手が良好になる。
【０００８】
また、前記本体容器または前記蓋の外表面部分に薬袋を開封するための開封用カッターが取り付けられていることを特徴とする。これにより、袋の開封が容易になるため、お年寄りや手が不自由な人であっても容易に薬剤３０を取り出して服用することが可能になるため好都合である。
【発明の効果】
【００１０】
本発明による薬剤服用補助容器によれば、薬剤の種類を問わず薬剤と白湯などを混合させた状態で飲み口部分に供給することができるため、飲み物を飲む感覚で薬剤を服用することができる。このようにすることで老人や子供であっても薬剤を容易に服用することができる。また、寝たままの状態であっても薬を容易に服用することができるため、介護が必要な人が薬を服用する際に有効であることはもちろんのこと、介護者の負担を大幅に軽減することが可能になる。
【発明を実施するための最良の形態】
【００１１】
（参考形態）
以下、添付図面に基づいて本発明の実施形態を詳細に説明する。図１は、参考形態における薬剤服用補助容器の構造を示す断面図である。図２は、本体容器に中皿を装着した状態における平面図である。図３は薬剤服用補助容器の平面図である。
本参考形態における薬剤服用補助容器１０は、コップ状に形成された本体容器２０と、薬剤３０を収容する中皿４０と、本体容器２０および中皿４０を覆うようにして配設される蓋５０を有している。中皿４０と蓋５０は、それぞれ本体容器２０に着脱自在に配設されている。
【００１２】
図１に示すように、本体容器２０の側壁２２の一部には側壁２２を板厚方向に貫通し、本体容器２０の内部に外部空気を導入するための貫通孔２４が形成されている。貫通孔２４は本体容器２０の高さ方向に長い長孔に形成されている。貫通孔２４には本体容器２０へ導入する空気量の調節を可能にするため、貫通孔２４内をスライド可能なスライド弁２６が配設されている。貫通孔２４とスライド弁２６の間は図示しないシール材が配設されているため、スライド弁２６により貫通孔２４を塞げば貫通孔２４を気密にシールすることができる。
【００１３】
本体容器２０の内壁面には本体容器２０の収容水量の上限を規定する注水ライン２８が設けられていると好適である。注水ライン２８は、貫通孔２４の高さ位置より低い位置に設けられている。注水ライン２８は本体容器２０の成形時に凹凸加工により形成することができるが、注水ライン２８の形態は特に限定されるものではない。
また、本体容器２０は合成樹脂や金属等の材料により形成可能であるが、透明または半透明な材料により形成すれば、内部に収容された水の量を確認することができるため好都合である。
【００１４】
本体容器２０の開口部側（上側）には薬剤３０を載置するための中皿４０が装着される。中皿４０には本体容器２０の開口部分に嵌合する嵌合部４１と嵌合部４１から外方に向かって突出し、本体容器２０の上縁部に係止するフランジ部４２が形成されている。また、中皿４０の上面側には薬剤３０を収容する凹部４３が形成されている。
中皿４０は、本体容器２０の開口部に上側から嵌め込むことで装着される。このようにして本体容器２０に装着された中皿４０は、フランジ部４２が本体容器２０の上端縁に密着した状態で取り付けられる。フランジ部４２の外周縁形状は本体容器２０の開口部の外周縁形状と一致している。
【００１５】
中皿４０の嵌合部４１および凹部４３は、図２に明確なように、全周に亘っているのではなく、周方向の一部が切り欠かれ、本体容器２０の内壁面との間に所要の隙間が形成されている。本実施の形態においては、この隙間が通水部４４として機能する。中皿４０の凹部４３は、通水部４４と反対側の部位が低くなるように形成され（平坦部４５）、通水部４４側に向けて徐々に上昇し（傾斜部４６）、浅くなるように形成されている。なお、中皿４０は、通水部４４が貫通孔２４とは反対側となるように本体容器２０に取り付けられる。
【００１６】
中皿４０を本体容器２０に装着した後、中皿４０の上にさらに蓋５０が取り付けられる。蓋５０は、中皿４０の上面を覆う本体部５１と、本体容器２０の開口部外側に嵌合する嵌合部５２を有している。本体部５１の下面側（押圧部）において中皿４０のフランジ部４２を押圧する。本体部５１の通水部４４側の部位は切り欠かれている（切欠部５６）。また、本体部５１には白湯などと共に薬剤３０を服用するための飲み口５３形成されている。飲み口５３は上記切欠部５６を覆うようにして本体部５１に取り付けられている。
【００１７】
このようにして蓋５０を本体容器２０に取り付けることにより、中皿４０のフランジ部４２は、上面部分と側面部分が覆われる状態になる。具体的には、フランジ部４２の側面部分は嵌合部５２に覆われていて、フランジ部４２の上面部分は本体部５１により覆われ、さらには押圧された状態になる。これにより、中皿４０と本体容器２０が当接する部分をより確実に水密にシールすることができる。また、本体容器２０に飲み口５３を有する蓋５０がとり付けられていることにより、寝たきりの人などであっても薬剤３０をこぼすことなく確実に服用することができるのである。
【００１８】
飲み口５３はヒンジ部５４を介して本体部５１に対して本体容器２０の外方側に回動可能に形成されている。ヒンジ部５４には公知のヒンジを適宜適用することができる。飲み口５３の根元部分には本体部５１との水密を維持するための図示しないシール材と係止手段が配設されていれば好適である。
また、飲み口５３は先端方向に進むにつれ徐々に縮径する形状に形成されていることが好ましい。本体部５１の切欠部５６は薬剤投入口としても用いられ、飲み口５３の開口面積と同等またはそれ以上の開口面積となるように形成されている。切欠部５６は、本体部５１に対して飲み口５３を外方に回動させた際に開口する。
【００１９】
次に、本参考形態における薬剤服用補助容器１０の使用方法について説明する。図４は、飲み口を回動させて中皿に薬剤を載置している状態を示す説明図である。図５は、薬剤の服用時における薬剤服用補助容器の状態を示す説明図である。
まず、本体容器２０の注水ライン２８を目安にして白湯や水を入れる。本体容器２０に白湯などを入れた後、飲み口５３を本体容器２０の外方側に回動させて切欠部５６を開口する。切欠部５６から中皿４０に薬剤３０を投入したら、再び飲み口５３を元の位置に戻して切欠部５６を閉塞する。
【００２０】
中皿４０に薬剤３０を投入した後、スライド弁２６をスライドさせ、貫通孔２４を空気導入孔として機能させる。このようにして開放された貫通孔２４を上向きにして白湯などがこぼれないようにしながら飲み口５３を口元に近付け、薬剤服用補助容器１０を傾斜させて本体容器２０に収容した白湯などを飲む。このとき薬剤服用補助容器１０は、図５に示すように、通常時においては水面の高さ位置よりも高い位置であった通水部４４が水面の高さ位置に対して下側になるため、本体容器２０に収容された白湯などが通水部４４および切欠部５６を介して飲み口５３に流入する。これと同時に、中皿４０の平坦部４５に載置されていた薬剤３０が傾斜部４６に沿って飲み口５３に流下するので、薬剤３０と白湯が混合された状態で飲み口５３から送り出され、使用者が容易に薬剤３０を服用することができる。
【００２１】
（第１実施形態）
図６は、第１実施形態における薬剤服用補助容器を示す説明図である。本実施形態における薬剤服用補助容器１０の基本構成は、本体容器２０と中皿４０と蓋５０とからなり、先の実施形態と同様であるが、中皿４０の構造に特徴がある。以下、中皿４０について詳細に説明する。
【００２２】
本実施形態における中皿４０は、嵌合部４１とフランジ部４２を有する点で参考形態と同様であるが、嵌合部４１の本体容器２０側が２段構造になっている点、および、凹部４３に平坦部が設けられていない点で参考形態と異なっている。
図６に示すように、嵌合部４１の本体容器２０側には、２段構造をなすための段差部４７が形成されている。段差部４７は本体容器２０に形成された貫通孔２４に対向する部分において、側壁２２の内周面に沿って所要幅にわたって形成されている。段差部４７の壁面４８には本体容器２０と凹部４３とを連通する連通孔が形成されていて、本実施形態においてはこの連通孔が通水部４４として機能する。
【００２３】
また、凹部４３は飲み口５３側から通水部４４側に向かって徐々に深くなる傾斜部４６のみにより形成されている。通水部４４は、凹部４３の最も深い（下側）部分に設けられている。このように凹部４３の底部分に通水部４４が形成されているので、本体容器２０から通水された白湯（水）は、中皿４０の平面位置における中央部分よりも通水部４４側部分に流入する。すなわち、中皿４０に載置された薬剤３０と本体容器２０からの白湯などを確実に接触させることができ、薬剤３０を確実に白湯と混合させた状態で飲み口５３に送り出すことができる。特に、薬剤３０が粉薬である場合においては、薬剤３０が白湯に溶解した状態で飲み口５３に送り出されるため、液体を飲む感覚で薬剤３０を服用することができる。これにより、薬剤３０が直接喉に当たりむせてしまうおそれや、薬剤３０が口の中で溜まってしまうおそれがないため、粉薬であっても容易に服用することができ、好都合である。すなわち、本実施の形態では、通水部４４は飲み口５３とは反対側となる中皿４０の部位に設けられている。
【００２４】
次に本実施形態における薬剤服用補助容器１０の使用方法について説明する。図７，図８は、薬剤服用補助容器の使用状態を示す説明図である。
まず、本体容器２０の注水ライン２８を目安にして、本体容器２０に白湯または水を収容する。次に、中皿４０本体容器２０に取り付ける。中皿４０は、通水部４４の位置が貫通孔２４と対向した状態となるように本体容器２０に取り付けられる。本体容器２０に中皿４０を取り付けた後、本体容器２０と中皿４０を覆うようにして蓋５０を取り付ける。蓋５０は、飲み口５３の位置が貫通孔２４の位置と対向する位置となるように取り付けられる。
【００２５】
次に、飲み口５３を回動して切欠部５６を開き、薬剤３０を中皿４０の凹部４３に収容する。飲み口５３を反対側に回動して切欠部５６を閉じる。そしてスライド弁２６による貫通孔２４の閉塞を開放し、貫通孔２４から本体容器２０の内部に外気を導入し、本体容器２０と外部とを連通する。貫通孔２４の位置が上向きとなるようにして飲み口５３を口元に運ぶ。この状態では、本体容器２０の白湯などが通水部４４から中皿４０の傾斜部４６の底部分に流入し、薬剤３０と混合された状態で飲み口５３に送り出される。先にも説明したとおり通水部４４からの白湯などは、凹部４３の底部分に流入するように形成されているので、傾斜部４６（凹部４３）に載置されている薬剤３０が粉薬であっても薬剤３０が傾斜部４６（凹部４３）に残存することなく、白湯などと混合した状態で確実に飲み口５３に送り出されることになり好適である。
【００２６】
（第２実施形態）
第１実施形態における薬剤服用補助容器１０を用いて薬剤３０を服用する場合において、通水部４４が薬剤服用補助容器１０を傾斜させた状態における水面位置と近接した位置に設けられている。このため、本体容器２０の内部に十分な白湯または水が収容されている場合であっても、本体容器２０から白湯などが供給されにくくなることがある。本体容器２０内の白湯または水を有効に利用することができる薬剤服用補助容器１０を第２実施形態として説明する。図９は、第２実施形態における薬剤服用補助容器の説明図である。
【００２７】
本実施形態においては、中皿４０の嵌合部４１に本体容器２０内の白湯などを通水部４４に誘導する誘導部４９が設けられている。誘導部４９は中皿４０の嵌合部４１を本体容器２０の内部空間側に突出させることにより形成されている。このような誘導部４９を中皿４０の嵌合部４１に設けることにより、飲み口５３を口元に近付けた状態（すなわち、薬剤３０を服用する状態）において、本体容器２０内の白湯などが強制的に通水部４４に誘導されることになる。したがって不自然な姿勢をとらずに白湯などと共に薬剤３０を服用することができ、使い勝手が良好である。
【００２８】
以上に、本実施形態に基づいて薬剤服用補助容器について詳細に説明してきたが、本発明の薬剤服用補助容器は以上に説明した実施形態に限定されるものではないことはもちろんである。
例えば、第１実施形態と第２実施形態においては、中皿４０の凹部４３に平坦部４５が形成されておらず、しかも傾斜部４６の底部分に通水部４４が形成されているため、薬剤３０の大きさによっては、中皿４０に投入した薬剤３０が通水部４４から本体容器２０の内部空間に落下してしまうおそれがある。これを回避するために、通水部４４の傾斜部４６側端部にメッシュフィルタや本体容器２０から凹部４３側にのみ開く弁などの薬剤落下防止部を有する形態としても良い。
【００２９】
また、本体容器２０または蓋５０の外表面部分に薬袋を開封するための開封装置を取り付けておくことも好適である。この形態によれば薬袋の開封が容易になるため、お年寄りや手が不自由な人であっても容易に薬剤３０を取り出して服用することが可能になるため好都合である。かかる開封装置としてはレターカッターを流用することが安全上好適である。
さらには、本体容器２０の下部外周面に雄ネジ部等の連結手段を配設し、連結手段に連結可能に形成された容器を連結すれば、服用すべき薬剤３０を薬剤服用補助容器１０と一体に保管することができるため好都合である。
【図面の簡単な説明】
【００３０】
【図１】参考形態における薬剤服用補助容器の構造を示す断面図である。
【図２】本体容器に中皿を装着した状態における平面図である。
【図３】薬剤服用補助容器の平面図である。
【図４】経口部を回動させて中皿に薬剤を載置している状態を示す説明図である。
【図５】薬剤の服用時における薬剤服用補助容器の状態を示す説明図である。
【図６】第１実施形態における薬剤服用補助容器を示す説明図である。
【図７】第１実施形態における薬剤服用補助容器の使用状態を示す説明図である。
【図８】第１実施形態における薬剤服用補助容器の使用状態を示す説明図である。
【図９】第２実施形態における薬剤服用補助容器の説明図である。
【符号の説明】
【００３１】
１０  薬剤服用補助容器
２０  本体容器
２２  側壁
２４  貫通孔
２６  スライド弁
３０  薬剤
４０  中皿
４１  嵌合部
４２  フランジ部
４３  凹部
４４  通水部
４５  平坦部
４６  傾斜部
４７  段差部
４８  壁面
４９  誘導部
５０  蓋
５１  本体部
５２  嵌合部
４２  飲み口
５４  ヒンジ部
５６  薬剤投入口
【図１】
0004776589.tif 000002
【図２】
0004776589.tif 000003
【図３】
0004776589.tif 000004
【図４】
0004776589.tif 000005
【図５】
0004776589.tif 000006
【図６】
0004776589.tif 000007
【図７】
0004776589.tif 000008
【図８】
0004776589.tif 000009
【図９】
0004776589.tif 000010